(57)【要約】【課題】簡易な構成で、照明光の色度と輝度を広範囲に調整することが可能な照明装置を提供する。【解決手段】互いに色温度の異なる第１発光ダイオードＬＥＤ１および第２発光ダイオードＬＥＤ２と、第１発光ダイオードＬＥＤ１および第２発光ダイオードＬＥＤ２の点消灯制御を行う制御回路６とを備え、制御回路６は、第１発光ダイオードＬＥＤ１と第２発光ダイオードＬＥＤ２を相補的に点消灯させる点灯期間Tonと、第１発光ダイオードＬＥＤ１と第２発光ダイオードＬＥＤ２の両方を消灯させる消灯期間Toffとを有するように、第１発光ダイオードＬＥＤ１および第２発光ダイオードＬＥＤ２の周期的な点消灯制御を行うパルス幅変調制御による点消灯制御部３と、一定周期内のパルス数変調制御により、第１発光ダイオードＬＥＤ１および第２発光ダイオードＬＥＤ２の点灯制御を行うパルス数変調制御部７とを備えることを特徴とする照明装置。【選択図】図７
2008226473.tif 000002
【特許請求の範囲】
【請求項１】
互いに色温度の異なる第１発光部および第２発光部と、
第１発光部および第２発光部の点消灯制御を行う制御回路と
を備え、
前記制御回路は、前記第１発光部と前記第２発光部を相補的に点消灯させる点灯期間と、前記第１発光部と前記第２発光部の両方を消灯させる消灯期間とを有するように、前記第１発光部および前記第２発光部の周期的な点消灯制御を行うと共に、一定周期内のパルス数変調制御により、前記第１発光部および前記第２発光部の点灯制御を行うことを特徴とする照明装置。
【請求項２】
請求項１記載の照明装置において、
前記制御回路は、色度制御信号に応じて、前記点灯期間内における第１発光部の点灯期間と第２発光部の点灯期間との比率を可変制御すると共に、前記一定周期内のパルス数変調制御により、前記第１発光部および前記第２発光部の点灯制御を行うことを特徴とする請求項１に記載の照明装置。
【請求項３】
請求項１または２に記載の照明装置において、
前記制御回路は、前記点灯期間の長さを一定に維持する一方、輝度制御信号に応じて、前記消灯期間の長さを可変制御すると共に、前記一定周期内のパルス数変調制御により、前記第１発光部および前記第２発光部の点灯制御を行うことを特徴とする照明装置。
【請求項４】
請求項１または２に記載の照明装置において、
前記制御回路は、輝度制御信号に応じて、所定の点消灯周期内における前記点灯期間と前記消灯期間との比率を可変制御すると共に、前記一定周期内のパルス数変調制御により、前記第１発光部および前記第２発光部の点灯制御を行うことを特徴とする照明装置。
【請求項５】
請求項１乃至４のいずれかに記載の照明装置において、
前記第１発光部および前記第２発光部は、
青色光を発する青色発光ダイオードと、
前記青色発光ダイオードを被覆する蛍光層と
をそれぞれ備え、
前記蛍光層は、前記青色光に励起されて赤色光、緑色光を各々発する赤色蛍光体と緑色蛍光体、若しくは、前記青色光に励起されて黄色光を発する黄色蛍光体を均一に混合した透明樹脂を有することを特徴とする照明装置。
【請求項６】
互いに色温度の異なる第１発光部および第２発光部と、
第１発光部および第２発光部の点消灯制御を行う制御回路と
を備え、
前記制御回路は、
前記第１発光部と前記第２発光部を相補的に点消灯させる点灯期間と、前記第１発光部と前記第２発光部の両方を消灯させる消灯期間とを有するように、前記第１発光部および前記第２発光部の周期的な点消灯制御を行う点消灯制御部と、
一定周期内のパルス数変調制御により、前記第１発光部および前記第２発光部の点灯制御を行うパルス数変調制御部を備えることを特徴とする照明装置。
【請求項７】
請求項６記載の照明装置において、
前記点消灯制御部は、更に、色度制御信号に応じて、前記点灯期間内における第１発光部の点灯期間と第２発光部の点灯期間との比率を可変制御すると共に、
前記パルス数変調制御部も、更に、前記色度制御信号に応じて、一定周期内のパルス数変調制御により、前記第１発光部および前記第２発光部の点灯制御を行うことを特徴とする照明装置。
【請求項８】
請求項６または７に記載の照明装置において、
前記点消灯制御部は、更に、前記点灯期間の長さを一定に維持する一方、輝度制御信号に応じて、前記消灯期間の長さを可変制御すると共に、
前記パルス数変調制御部も、更に、前記輝度制御信号に応じて、一定周期内のパルス数変調制御により、前記第１発光部および前記第２発光部の点灯制御を行うことを特徴とする照明装置。
【請求項９】
請求項６または７に記載の照明装置において、
前記点消灯制御部は、更に、輝度制御信号に応じて、所定の点消灯周期内における前記点灯期間と前記消灯期間との比率を可変制御すると共に、
前記パルス数変調制御部も、更に、前記輝度制御信号に応じて、一定周期内のパルス数変調制御により、前記第１発光部および前記第２発光部の点灯制御を行うことを特徴とする照明装置。
【請求項１０】
請求項６乃至９のいずれかに記載の照明装置において、
前記第１発光部および前記第２発光部は、
青色光を発する青色発光ダイオードと、
前記青色発光ダイオードを被覆する蛍光層と
をそれぞれ備え、
前記蛍光層は、前記青色光に励起されて赤色光、緑色光を各々発する赤色蛍光体と緑色蛍光体、若しくは、前記青色光に励起されて黄色光を発する黄色蛍光体を均一に混合した透明樹脂を有することを特徴とする照明装置。
【請求項１１】
互いに色温度の異なる第１発光ダイオードおよび第２発光ダイオードと、
第１発光ダイオードおよび第２発光ダイオードの点消灯制御を行う制御回路と
を備え、
前記制御回路は、前記第１発光ダイオードと前記第２発光ダイオードを相補的に点消灯させる点灯期間と、前記第１発光ダイオードと前記第２発光ダイオードの両方を消灯させる消灯期間とを有するように、前記第１発光ダイオードおよび前記第２発光ダイオードの周期的な点消灯制御を行う点消灯制御部と、一定周期内のパルス数変調制御により、前記第１発光ダイオードおよび前記第２発光ダイオードの点灯制御を行うパルス数変調制御部とを備えることを特徴とする照明装置。
【請求項１２】
請求項１１に記載の照明装置において、
前記点消灯制御部は、更に、色度制御信号に応じて、前記点灯期間内における第１発光ダイオード部の点灯期間と第２発光部の点灯期間との比率を可変制御すると共に、
前記パルス数変調制御部も、更に、前記色度制御信号に応じて、一定周期内のパルス数変調制御により、前記第１発光ダイオードおよび前記第２発光ダイオードの点灯制御を行うことを特徴とする照明装置。
【請求項１３】
請求項１１または１２に記載の照明装置において、
前記点消灯制御部は、更に、前記点灯期間の長さを一定に維持する一方、輝度制御信号に応じて、前記消灯期間の長さを可変制御すると共に、
前記パルス数変調制御部も、更に、前記輝度制御信号に応じて、一定周期内のパルス数変調制御により、前記第１発光ダイオードおよび前記第２発光ダイオードの点灯制御を行うことを特徴とする照明装置。
【請求項１４】
請求項１１または１２に記載の照明装置において、
前記点消灯制御部は、更に、輝度制御信号に応じて、所定の点消灯周期内における前記点灯期間と前記消灯期間との比率を可変制御すると共に、
前記パルス数変調制御部も、更に、前記輝度制御信号に応じて、一定周期内のパルス数変調制御により、前記第１発光ダイオードおよび前記第２発光ダイオードの点灯制御を行うことを特徴とする照明装置。
【請求項１５】
請求項１１乃至１４のいずれかに記載の照明装置において、
前記第１発光ダイオードおよび前記第２発光ダイオードは、
青色光を発する青色発光ダイオードと、
前記青色発光ダイオードを被覆する蛍光層と
をそれぞれ備え、
前記蛍光層は、前記青色光に励起されて赤色光、緑色光を各々発する赤色蛍光体と緑色蛍光体、若しくは、前記青色光に励起されて黄色光を発する黄色蛍光体を均一に混合した透明樹脂を有することを特徴とする照明装置。
【請求項１６】
請求項１１乃至１５のいずれかに記載の照明装置において、
前記第１発光ダイオードおよび前記第２発光ダイオードは、互いに隣接して配置したことを特徴とする照明装置。
【請求項１７】
請求項１１乃至１５のいずれかに記載の照明装置において、
前記第１発光ダイオードおよび前記第２発光ダイオードは、互いに隣接して配置し、かつ複数組配列して実装することを特徴とする照明装置。
【請求項１８】
請求項１１乃至１５のいずれかに記載の照明装置において、
前記第１発光ダイオードおよび前記第２発光ダイオードは、互いに隣接して配置し、かつ複数組ライン状に配列して実装することを特徴とする照明装置。
【請求項１９】
請求項１１乃至１５のいずれかに記載の照明装置において、
前記第１発光ダイオードおよび前記第２発光ダイオードは、互いに隣接して配置し、かつ複数組円形状に配列して実装することを特徴とする照明装置。
【請求項２０】
請求項１１乃至１９のいずれかに記載の照明装置において、
前記第１発光ダイオードの色温度は、２５００Ｋ〜３０００Ｋ、前記第２発光ダイオードの色温度は、３０００Ｋ〜６５００Ｋの範囲に含まれることを特徴とする照明装置。
【発明の詳細な説明】
【技術分野】
【０００１】
本発明は、発光ダイオード（ＬＥＤ：Ｌｉｇｈｔ Ｅｍｉｔｔｉｎｇ Ｄｉｏｄｅ）を光源とする照明装置に関するものであり、特に、照明光の色度調整並びに輝度調整に関する。
【背景技術】
【０００２】
従来例に係る照明装置の模式的ブロック構成を、図２２に示す。特許文献１には、図２２（特許文献１の図１に相当）に示したように、白色ＬＥＤ６５に供給する電流のレベルを電流値制御回路６２とＬＥＤ駆動用電流源６１で制御するとともに、白色ＬＥＤ６５に供給する電流のオン時間とオフ時間との比率をスイッチ６４、デューティ比制御回路６６、および、パルス幅変調（ＰＷＭ：Ｐｕｌｓｅ Ｗｉｄｔｈ Ｍｏｄｕｌａｔｉｏｎ）発生回路６３で制御することにより、白色ＬＥＤ６５の照明光の色度と輝度を調整することが可能な照明装置が開示されている。
【０００３】
特許文献１の従来技術であれば、白色ＬＥＤ６５の照明光の色度と輝度を調整することが可能である。しかしながら、特許文献１の従来技術は、あくまで、白色ＬＥＤ６５の駆動電流を制御することで、照明光の色度を補正するものであり、その色度調整範囲については、特許文献１の図２（白色ＬＥＤの順電流−色度図特性の一例を示す図）で示されているように、必ずしも広いものではなかった（色度座標上で０．０１〜０．０２程度の調整範囲）。
【０００４】
また、特許文献１の従来技術では、白色ＬＥＤ６５の照明光の色度と輝度（光度）を調整するために、白色ＬＥＤ６５の駆動電流とオンデューティの双方を制御しなければならないので、その制御が複雑であった。
【０００５】
また、特許文献２には、図４（特許文献２の図１に相当）に示したように、所定の色温度に設定された白色ＬＥＤと、これに対して特定の波長域にピーク波長を有する補正色ＬＥＤとから成り、白色ＬＥＤと補正色ＬＥＤとの混色割合により、白色ＬＥＤの設定色温度を調整可能に構成して成ることを特徴とするＬＥＤ灯が開示されている。
【０００６】
なお、特許文献２の従来技術は、あくまで、照明光の色度調整のみを実現するものであって、照明光の輝度調整に関しては、何ら開示するものではなかった。
【特許文献１】特開２００２−３２４６８５号公報
【特許文献２】再表２００３−０１９０７２号公報
【発明の開示】
【発明が解決しようとする課題】
【０００７】
本発明の目的は、上記の問題点に鑑み、簡易な構成で、照明光の色度と輝度を０〜１００％の広範囲に調整することが可能な照明装置を提供することにある。
【課題を解決するための手段】
【０００８】
上記目的を達成するための本発明の請求項１に記載の照明装置は、互いに色温度の異なる第１発光部および第２発光部と、第１発光部および第２発光部の点消灯制御を行う制御回路とを備え、前記制御回路は、前記第１発光部と前記第２発光部を相補的に点消灯させる点灯期間と、前記第１発光部と前記第２発光部の両方を消灯させる消灯期間とを有するように、前記第１発光部および前記第２発光部の周期的な点消灯制御を行うと共に、一定周期内のパルス数変調制御により、前記第１発光部および前記第２発光部の点灯制御を行うことを特徴とする。
【０００９】
本発明の請求項２に記載の照明装置は、請求項１記載の照明装置において、前記制御回路は、色度制御信号に応じて、前記点灯期間内における第１発光部の点灯期間と第２発光部の点灯期間との比率を可変制御すると共に、前記一定周期内のパルス数変調制御により、前記第１発光部および前記第２発光部の点灯制御を行うことを特徴とする。
【００１０】
本発明の請求項３に記載の照明装置は、請求項１または２に記載の照明装置において、前記制御回路は、前記点灯期間の長さを一定に維持する一方、輝度制御信号に応じて、前記消灯期間の長さを可変制御すると共に、前記一定周期内のパルス数変調制御により、前記第１発光部および前記第２発光部の点灯制御を行うことを特徴とする。
【００１１】
本発明の請求項４に記載の照明装置は、請求項１または２に記載の照明装置において、前記制御回路は、輝度制御信号に応じて、所定の点消灯周期内における前記点灯期間と前記消灯期間との比率を可変制御すると共に、前記一定周期内のパルス数変調制御により、前記第１発光部および前記第２発光部の点灯制御を行うことを特徴とする。
【００１２】
本発明の請求項５に記載の照明装置は、請求項１乃至４のいずれかに記載の照明装置において、前記第１発光部および前記第２発光部は、青色光を発する青色発光ダイオードと、前記青色発光ダイオードを被覆する蛍光層とをそれぞれ備え、前記蛍光層は、前記青色光に励起されて赤色光、緑色光を各々発する赤色蛍光体と緑色蛍光体、若しくは、前記青色光に励起されて黄色光を発する黄色蛍光体を均一に混合した透明樹脂を有することを特徴とする。
【００１３】
本発明の請求項６に記載の照明装置は、互いに色温度の異なる第１発光部および第２発光部と、第１発光部および第２発光部の点消灯制御を行う制御回路とを備え、前記制御回路は、前記第１発光部と前記第２発光部を相補的に点消灯させる点灯期間と、前記第１発光部と前記第２発光部の両方を消灯させる消灯期間とを有するように、前記第１発光部および前記第２発光部の周期的な点消灯制御を行う点消灯制御部と、一定周期内のパルス数変調制御により、前記第１発光部および前記第２発光部の点灯制御を行うパルス数変調制御部を備えることを特徴とする。
【００１４】
本発明の請求項７に記載の照明装置は、請求項６記載の照明装置において、前記点消灯制御部は、更に、色度制御信号に応じて、前記点灯期間内における第１発光部の点灯期間と第２発光部の点灯期間との比率を可変制御すると共に、前記パルス数変調制御部も、更に、前記色度制御信号に応じて、一定周期内のパルス数変調制御により、前記第１発光部および前記第２発光部の点灯制御を行うことを特徴とする。
【００１５】
本発明の請求項８に記載の照明装置は、請求項６または７に記載の照明装置において、前記点消灯制御部は、更に、前記点灯期間の長さを一定に維持する一方、輝度制御信号に応じて、前記消灯期間の長さを可変制御すると共に、前記パルス数変調制御部も、更に、前記輝度制御信号に応じて、一定周期内のパルス数変調制御により、前記第１発光部および前記第２発光部の点灯制御を行うことを特徴とする。
【００１６】
本発明の請求項９に記載の照明装置は、請求項６または７に記載の照明装置において、前記点消灯制御部は、更に、輝度制御信号に応じて、所定の点消灯周期内における前記点灯期間と前記消灯期間との比率を可変制御すると共に、前記パルス数変調制御部も、更に、前記輝度制御信号に応じて、一定周期内のパルス数変調制御により、前記第１発光部および前記第２発光部の点灯制御を行うことを特徴とする。
【００１７】
本発明の請求項１０に記載の照明装置は、請求項６乃至９のいずれかに記載の照明装置において、前記第１発光部および前記第２発光部は、青色光を発する青色発光ダイオードと、前記青色発光ダイオードを被覆する蛍光層とをそれぞれ備え、前記蛍光層は、前記青色光に励起されて赤色光、緑色光を各々発する赤色蛍光体と緑色蛍光体、若しくは、前記青色光に励起されて黄色光を発する黄色蛍光体を均一に混合した透明樹脂を有することを特徴とする。
【００１８】
本発明の請求項１１に記載の照明装置は、互いに色温度の異なる第１発光ダイオードおよび第２発光ダイオードと、第１発光ダイオードおよび第２発光ダイオードの点消灯制御を行う制御回路とを備え、前記制御回路は、前記第１発光ダイオードと前記第２発光ダイオードを相補的に点消灯させる点灯期間と、前記第１発光ダイオードと前記第２発光ダイオードの両方を消灯させる消灯期間とを有するように、前記第１発光ダイオードおよび前記第２発光ダイオードの周期的な点消灯制御を行う点消灯制御部と、一定周期内のパルス数変調制御により、前記第１発光ダイオードおよび前記第２発光ダイオードの点灯制御を行うパルス数変調制御部とを備えることを特徴とする。
【００１９】
本発明の請求項１２に記載の照明装置は、請求項１１に記載の照明装置において、前記点消灯制御部は、更に、色度制御信号に応じて、前記点灯期間内における第１発光ダイオード部の点灯期間と第２発光部の点灯期間との比率を可変制御すると共に、前記パルス数変調制御部も、更に、前記色度制御信号に応じて、一定周期内のパルス数変調制御により、前記第１発光ダイオードおよび前記第２発光ダイオードの点灯制御を行うことを特徴とする。
【００２０】
本発明の請求項１３に記載の照明装置は、請求項１１または１２に記載の照明装置において、  前記点消灯制御部は、更に、前記点灯期間の長さを一定に維持する一方、輝度制御信号に応じて、前記消灯期間の長さを可変制御すると共に、前記パルス数変調制御部も、更に、前記輝度制御信号に応じて、一定周期内のパルス数変調制御により、前記第１発光ダイオードおよび前記第２発光ダイオードの点灯制御を行うことを特徴とする。
【００２１】
本発明の請求項１４に記載の照明装置は、請求項１１または１２に記載の照明装置において、前記点消灯制御部は、更に、輝度制御信号に応じて、所定の点消灯周期内における前記点灯期間と前記消灯期間との比率を可変制御すると共に、前記パルス数変調制御部も、更に、前記輝度制御信号に応じて、一定周期内のパルス数変調制御により、前記第１発光ダイオードおよび前記第２発光ダイオードの点灯制御を行うことを特徴とする。
【００２２】
本発明の請求項１５に記載の照明装置は、請求項１１乃至１４のいずれかに記載の照明装置において、前記第１発光ダイオードおよび前記第２発光ダイオードは、青色光を発する青色発光ダイオードと、前記青色発光ダイオードを被覆する蛍光層とをそれぞれ備え、前記蛍光層は、前記青色光に励起されて赤色光、緑色光を各々発する赤色蛍光体と緑色蛍光体、若しくは、前記青色光に励起されて黄色光を発する黄色蛍光体を均一に混合した透明樹脂を有することを特徴とする。
【００２３】
本発明の請求項１６に記載の照明装置は、請求項１１乃至１５のいずれかに記載の照明装置において、前記第１発光ダイオードおよび前記第２発光ダイオードは、互いに隣接して配置したことを特徴とする。
【００２４】
本発明の請求項１７に記載の照明装置は、請求項１１乃至１５のいずれかに記載の照明装置において、前記第１発光ダイオードおよび前記第２発光ダイオードは、互いに隣接して配置し、かつ複数組配列して実装することを特徴とする。
【００２５】
本発明の請求項１８に記載の照明装置は、請求項１１乃至１５のいずれかに記載の照明装置において、前記第１発光ダイオードおよび前記第２発光ダイオードは、互いに隣接して配置し、かつ複数組ライン状に配列して実装することを特徴とする。
【００２６】
本発明の請求項１９に記載の照明装置は、請求項１１乃至１５のいずれかに記載の照明装置において、前記第１発光ダイオードおよび前記第２発光ダイオードは、互いに隣接して配置し、かつ複数組円形状に配列して実装することを特徴とする。
【００２７】
本発明の請求項２０に記載の照明装置は、請求項１１乃至１９のいずれかに記載の照明装置において、前記第１発光ダイオードの色温度は、２５００Ｋ〜３０００Ｋ、前記第２発光ダイオードの色温度は、３０００Ｋ〜６５００Ｋの範囲に含まれることを特徴とする。
【発明の効果】
【００２８】
本発明に係る照明装置によれば、簡易な構成で、照明光の色度と輝度を０〜１００％の広範囲に調整することができる。
【発明を実施するための最良の形態】
【００２９】
次に、図面を参照して、本発明の実施の形態を説明する。以下の図面の記載において、同一または類似の部分には同一または類似の符号を付している。ただし、図面は模式的なものであり、現実のものとは異なることに留意すべきである。また、図面相互間においても互いの寸法の関係や比率が異なる部分が含まれていることはもちろんである。
【００３０】
また、以下に示す実施の形態は、この発明の技術的思想を具体化するための装置や方法を例示するものであって、この発明の技術的思想は、各構成部品の配置などを下記のものに特定するものでない。この発明の技術的思想は、特許請求の範囲において、種々の変更を加えることができる。
【００３１】
[第１の実施の形態] 
図１は、本発明の第１の実施の形態に係る照明装置の模式的基本回路ブロック構成を示す。
【００３２】
本発明の第１の実施の形態に係る照明装置は、図１に示すように、互いに色温度の異なる第１発光部９および第２発光部１０と、第１発光部９および第２発光部１０の点消灯制御を行う制御回路６とを備える。
【００３３】
制御回路６は、第１発光部９と第２発光部１０を相補的に点消灯させる点灯期間Ｔｏｎと、第１発光部９と第２発光部１０の両方を消灯させる消灯期間Ｔｏｆｆとを有するように、第１発光部９および第２発光部１０の周期的な点消灯制御を行うと共に、一定周期ＴＮ内のパルス数変調（ＰＮＭ：Ｐｕｌｓｅ Ｎｕｍｂｅｒ Ｍｏｄｕｌａｔｉｏｎ）制御により、第１発光部９および第２発光部１０の点灯制御を行うことを特徴とする。ＰＮＭは、パルス密度変調（ＰＤＭ：Ｐｕｌｓｅ Ｄｅｎｓｉｔｙ Ｍｏｄｕｌａｔｉｏｎ）とも呼ばれるが、ここでは、ＰＮＭに表記を統一する。
【００３４】
また、制御回路６には、色度制御信号ＳＴと、輝度制御信号ＳＩが供給され、制御回路６からは、スイッチング制御信号Ｓ１、Ｓ２が、それぞれＬＥＤ駆動用バイポーラトランジスタＱ１、Ｑ２のベースに供給されている。また、ＬＥＤ１、ＬＥＤ２には、それぞれ抵抗Ｒ１、Ｒ２が直列に接続され、一定電流が供給されるようになされている。
【００３５】
第１発光部９を構成するＬＥＤ１および第２発光部１０を構成するＬＥＤ２としては、例えば、互いに色温度の異なる２種類の白色発光ダイオードが用いられている。
【００３６】
本発明の第１の実施の形態に係る照明装置においては、第１発光部９を構成するＬＥＤ１として、例えば、５０００Ｋの色温度を有する白色発光ダイオードを用い、また、第２発光部１０を構成するＬＥＤ２として、例えば、２６００Ｋの色温度を有する白色発光ダイオードを用いている。
【００３７】
ただし、上記の色温度は例示であって、照明光の色温度（色度）を広範囲に調整するためには、できる限り色温度の離れた２種類の白色発光ダイオードを用いることが望ましい。
【００３８】
本発明の第１の実施の形態に係る照明装置においては、ＬＥＤ１の色温度は、例えば、２５００Ｋ〜３０００Ｋ、ＬＥＤ２の色温度は、例えば、３０００Ｋ〜６５００Ｋの範囲であってもよい。
【００３９】
ＬＥＤ駆動用バイポーラトランジスタＱ１、Ｑ２のコレクタは、いずれも電源電圧Ｖｃｃを有する電源ラインに接続されている。ＬＥＤ駆動用バイポーラトランジスタＱ１のエミッタは、ＬＥＤ１のアノードに接続されている。ＬＥＤ駆動用バイポーラトランジスタＱ２のエミッタは、ＬＥＤ２のアノードに接続されている。ＬＥＤ１のカソードは、抵抗Ｒ１を介して接地ラインに接続されている。ＬＥＤ２のカソードは、抵抗Ｒ２を介して接地ラインに接続されている。
【００４０】
制御回路６は、色度制御信号ＳＴと輝度制御信号ＳＩに基いて、ＬＥＤ駆動用バイポーラトランジスタＱ１、Ｑ２のベースに供給するスイッチング制御信号Ｓ１、Ｓ２を生成することにより、第１発光部９を構成するＬＥＤ１および第２発光部１０を構成するＬＥＤ２の点消灯制御を行う手段である。
【００４１】
より具体的に述べると、ＬＥＤ１の点灯時には、スイッチング制御信号Ｓ１がハイレベルとされ、ＬＥＤ駆動用バイポーラトランジスタＱ１がオンされる。このような制御によって、ＬＥＤ１に対する駆動電流の供給が許可され、ＬＥＤ１が点灯される。逆に、ＬＥＤ１の消灯時には、スイッチング制御信号Ｓ１がローレベルとされ、ＬＥＤ駆動用バイポーラトランジスタＱ１がオフされる。このような制御によって、ＬＥＤ１に対する駆動電流の供給が遮断され、ＬＥＤ１が消灯される。
【００４２】
同様に、ＬＥＤ２の点灯時には、スイッチング制御信号Ｓ２がハイレベルとされ、ＬＥＤ駆動用バイポーラトランジスタＱ２がオンされる。このような制御によって、ＬＥＤ２に対する駆動電流の供給が許可され、ＬＥＤ２が点灯される。逆に、ＬＥＤ２の消灯時には、スイッチング制御信号Ｓ２がローレベルとされ、ＬＥＤ駆動用バイポーラトランジスタＱ２がオフされる。このような制御によって、ＬＥＤ２に対する駆動電流の供給が遮断され、ＬＥＤ２が消灯される。
【００４３】
次に、第１発光部９を構成するＬＥＤ１および第２発光部１０を構成するＬＥＤ２の構造について、図２を参照しながら詳細に説明する。図２は、第１発光部９を構成するＬＥＤ１の構造を模式的に示す縦断面図である。なお、第２発光部１０を構成するＬＥＤ２の構造も同様であるため、重複した説明は行わない。
【００４４】
本発明の第１の実施の形態に係る照明装置においては、図２に示すように、第１発光部９および第２発光部１０は、青色光を発する青色発光ダイオード１と、青色発光ダイオード１を被覆する蛍光層２とをそれぞれ備え、蛍光層２は、青色光に励起されて赤色光、緑色光を各々発する赤色蛍光体２ａと緑色蛍光体２ｂ、若しくは、青色光に励起されて黄色光を発する黄色蛍光体を均一に混合した透明樹脂２を有することを特徴とする。
【００４５】
図２に示すように、ＬＥＤ１は、青色光を発する青色発光ダイオード１と、青色発光ダイオード１を被覆する蛍光層２とを各々有して成る。また、蛍光層２は、青色光に励起されて赤色光を発する赤色蛍光体２ａと、青色光に励起されて緑色光を発する緑色蛍光体２ｂとを透明樹脂２ｃに均一に混合して成る。
【００４６】
上記構成から成るＬＥＤ１では、赤色蛍光体２ａが発する赤色光と、緑色蛍光体２ｂが発する緑色光と、両蛍光体に吸収されなかった一部の青色光とを混合することにより、演色性の高い白色光を生成することが可能である。
【００４７】
なお、演色性の向上よりも発光効率の向上を優先する場合、蛍光層２は、青色光に励起されて黄色光を発する黄色蛍光体を透明樹脂に均一に混合して成る構成とすればよい。
【００４８】
図３は、国際照明委員会(ＣＩＥ：Ｃｏｍｍｉｓｓｉｏｎ Ｉｎｔｅｒｎａｔｉｏｎａｌｅ ｄｅ Ｌ‘Ｅｃｌａｉｒａｇｅ)１９３１によるＸＹＺ表色系のＸＹ色度図を示す。また、図４は、ＸＹ色度図上において、ＬＥＤの選定方法を説明する模式図であって、特許文献２の図１に相当する図であるが、前述の通り、色温度の異なる発光ダイオードを選定する際に、参照することができる。
【００４９】
図５は、白色ＬＥＤにおいて、相対光度と順方向電流ＩF（ｍＡ）の関係の特性の一例を示す。
【００５０】
図６は、白色ＬＥＤにおいて、色度図と順方向電流ＩF（ｍＡ）の関係の特性の一例を示す。
【００５１】
なお、これらの図は、白色ＬＥＤであるＮＳＣＷ１００（日亜化学工業株式会社）の特性の一例である。
【００５２】
図５および図６に示すように、白色ＬＥＤの相対光度、および色度は、室温（２５℃）の環境下で、順方向電流ＩFの値の変化に応じて変化する。
【００５３】
図７（ａ）は、本発明の第１の実施の形態に係る照明装置において、ＬＥＤモジュール１１に対する制御系の模式的回路ブロック構成を示し、図７（ｂ）は、制御回路６の模式的ブロック構成を示す。
【００５４】
更に具体的に、本発明の第１の実施の形態に係る照明装置は、図７（ａ）に示すように、互いに色温度の異なる第１発光部９および第２発光部１０と、第１発光部９および第２発光部１０の点消灯制御を行う制御回路６とを備える。
【００５５】
制御回路６は、図７（ｂ）に示すように、第１発光部９と第２発光部１０を相補的に点消灯させる点灯期間Ｔｏｎと、第１発光部９と第２発光部１０の両方を消灯させる消灯期間Ｔｏｆｆとを有するように、第１発光部９および第２発光部１０の周期的な点消灯制御を行うパルス幅変調制御による点消灯制御部３と、一定周期ＴＮ内のＰＮＭ制御により、第１発光部９および第２発光部１０の点灯制御を行うＰＮＭ制御部７とを備えることを特徴とする。
【００５６】
また、本発明の第１の実施の形態に係る照明装置においては、図１５に示すように、点消灯制御部３は、更に、色度制御信号ＳＴに応じて、点灯期間Ｔｏｎ内における第１発光部９の点灯期間Ｔ１と第２発光部１０の点灯期間Ｔ２との比率を可変制御すると共に、ＰＮＭ制御部７も、更に、前記色度制御信号ＳＴに応じて、一定周期ＴＮ内のＰＮＭ制御により、第１発光部９および第２発光部１０の点灯制御を行うことを特徴とする。
【００５７】
更に具体的に、本発明の第１の実施の形態に係る照明装置は、図７（ａ）に示すように、互いに色温度の異なる第１発光ダイオードＬＥＤ１および第２発光ダイオードＬＥＤ２と、第１発光ダイオードＬＥＤ１および第２発光ダイオードＬＥＤ２の点消灯制御を行う制御回路６とを備える。
【００５８】
制御回路６は、第１発光ダイオードＬＥＤ１と第２発光ダイオードＬＥＤ２を相補的に点消灯させる点灯期間Ｔｏｎと、第１発光ダイオードＬＥＤ１と第２発光ダイオードＬＥＤ２の両方を消灯させる消灯期間Ｔｏｆｆとを有するように、第１発光ダイオードＬＥＤ１および第２発光ダイオードＬＥＤ２の周期的な点消灯制御を行う点消灯制御部３と、一定周期ＴＮ内のパルス数変調制御により、第１発光ダイオードＬＥＤ１および第２発光ダイオードＬＥＤ２の点灯制御を行うＰＮＭ制御部７とを備えることを特徴とする。
【００５９】
図７（ａ）に示すように、色度制御信号ＳＴは、電源電圧ＶT に接続された色温度調整用可変抵抗ＲＴから色温度制御ラインＴＣＬを介して制御回路６に供給され、輝度制御信号ＳＩは、電源電圧ＶIに接続された輝度調整用可変抵抗ＲＩから輝度制御ラインＩＣＬを介して制御回路６に供給される。ＬＥＤモジュール１１は、図１の制御回路６の出力側と同様に構成され、第１発光部９を構成するＬＥＤ１と、第２発光部１０を構成するＬＥＤ２と、８で示されるＬＥＤ駆動用バイポーラトランジスタＱ１、Ｑ２とを備える。図７（ａ）においては、表示を省略しているが、抵抗Ｒ１、Ｒ２は、図１と同様に接続される。また、図７（ａ）においては、ＬＥＤモジュール１１を２個配置した構成例が示されているが、２個に限定されるものではなく、更に３個以上並列に接続されていてもよい。
【００６０】
また、輝度調整用可変抵抗ＲＩ、色温度調整用可変抵抗ＲＴはボリューム抵抗、或いは、スライド抵抗どちらを用いてもよい。
【００６１】
制御回路６は、図７（ｂ）に示すように、点消灯制御部３と、ＰＮＭ制御部７を備える。点消灯制御部３は、色度制御信号ＳＴおよび輝度制御信号ＳＩを受信して、パルス幅変調制御によるオン／オフ信号からなるスイッチング制御信号Ｓ１、Ｓ２を出力する。ＰＮＭ制御部７は、色度制御信号ＳＴおよび輝度制御信号ＳＩを受信して、パルス数変調制御によるＰＮＭ出力信号ＰＳＩ、ＰＳＴを出力し、これらのＰＮＭ出力信号ＰＳＩ、ＰＳＴは、それぞれスイッチング制御信号Ｓ１、Ｓ２に重畳されている。
【００６２】
図８は、本発明の第１の実施の形態に係る照明装置において、ＬＥＤモジュール１１に対する制御系をリモート制御系で構成した場合の模式的ブロック構成を示す。
【００６３】
すなわち、リモート制御系は、輝度調整用リモートスイッチ１８と色温度調整用リモートスイッチ１９を備えるリモートスイッチ部１７と、受信部１５とリモート制御回路１６を有するリモート制御部１４とを備える。リモートスイッチ部１７からの制御信号は、無線信号としてリモート制御部１４内の受信部１５に供給され、さらに受信部１５の出力端からリモート制御回路１６に転送され、リモート制御回路１６からスイッチング制御信号Ｓ１、Ｓ２を出力する。リモート制御回路１６内には、図７（ｂ）と同様に、点消灯制御部３およびＰＮＭ制御部７が含まれている。
【００６４】
図９は、輝度調整用ボリューム抵抗（ＲＶＩ）２０および色温度調整用ボリューム抵抗（ＲＶＴ）２１からなるボリューム抵抗部２２による明るさ調整用および色温度調整用ボリューム抵抗制御系の概観図を示す。図９に示されるボリューム抵抗部２２の輝度調整用ボリューム抵抗（ＲＶＩ）２０および色温度調整用ボリューム抵抗（ＲＶＴ）２１を調整することによって、電源電圧ＶT に接続された色温度調整用可変抵抗ＲＴから制御回路６に供給される色度制御信号ＳＴ、および電源電圧ＶIに接続された輝度調整用可変抵抗ＲＩから制御回路６に供給される輝度制御信号ＳＩを制御することができる。
【００６５】
図１０（ａ）は、本発明の第１の実施の形態に係る照明装置において、ＰＮＭ出力信号ＰＳＴおよびＰＳＩを出力するＰＮＭ制御部７の模式的回路ブロック構成図を示す。また、図１０（ｂ）は、ＰＮＭ出力信号ＰＳＴの模式的波形を示し、図１０（ｃ）は、ＰＮＭ出力信号ＰＳＩの模式的波形を示す。
【００６６】
図１０（ａ）に示されるように、色度制御信号ＳＴは、ＡＤコンバータ４に供給され、ＰＮＭ制御されたＰＮＭ出力信号ＰＳＴを出力する。ＡＤコンバータ４には、ＰＮＭ出力信号ＰＳＴのパルス数をカウントし、ＡＤコンバータにフィードバックするカウンタ回路５が接続されている。同様に、輝度制御信号ＳＩは、ＡＤコンバータ４に供給され、ＰＮＭ制御されたＰＮＭ出力信号ＰＳＩを出力する。ＡＤコンバータ４には、ＰＮＭ出力信号ＰＳＩのパルス数をカウントし、ＡＤコンバータにフィードバックするカウンタ回路５が接続されている。
【００６７】
色度制御信号ＳＴのＰＮＭ制御されたＰＮＭ出力信号ＰＳＴは、例えば、図１０（ｂ）に示すように、一定周期ＴＮ内において、パルス数を変調された信号波形として表示される。図１０（ｂ）の例では、一定周期ＴＮ０，ＴＮ１，…，ＴＮ１２６，ＴＮ１２７に対して、それぞれ９個、１４個、…３個、２個のパルス数が変調されて表示されている。
【００６８】
輝度制御信号ＳＩのＰＮＭ制御されたＰＮＭ出力信号ＰＳＩも、同様に、例えば、図１０（ｃ）に示すように、一定周期ＴＮ内において、パルス数を変調された信号波形として表示される。図１０（ｃ）の例でも、一定周期ＴＮ０，ＴＮ１，…，ＴＮ１２６，ＴＮ１２７に対して、それぞれ９個、１４個、…３個、２個のパルス数が変調されて表示されているが、これに限るものではない。
【００６９】
図１０（ｂ）および図１０（ｃ）に示されるＰＮＭ出力信号ＰＳＴおよびＰＳＩによって、後述するように、点灯期間Ｔｏｎ内におけるＬＥＤ１の点灯期間Ｔ１のスイッチング制御信号Ｓ１がＰＮＭ制御を受け、ＰＮＭ制御に応じて一定周期ＴＮ内のパルス数の増減が実行される。同様に、図１０（ｂ）および図１０（ｃ）に示されるＰＮＭ出力信号ＰＳＴおよびＰＳＩによって、後述するように、点灯期間Ｔｏｎ内におけるＬＥＤ２の点灯期間Ｔ２のスイッチング制御信号Ｓ２もＰＮＭ制御を受け、ＰＮＭ制御に応じて一定周期ＴＮ内のパルス数の増減が実行される。
【００７０】
図１１は、本発明の第１の実施の形態に係る照明装置において、ＰＮＭ出力信号の説明図であって、図１１（ａ）は、１００％の明るさを得る場合のＰＮＭ波形の例、図１１（ｂ）は、複数個のパルス数を減少させた場合のＰＮＭ波形の例、図１１（ｃ）は、照度とＰＮＭのＯＦＦ区間数との関係を示す模式図である。図１１の例では、１２８波形を１周期（ＴＮ）としている。図１１（ｂ）に示されるように、０〜１２８波形をＯＦＦ区間（点線で示される状態）に変えることで明るさを変化することができる。また、図１１（ａ）と比較し、図１１（ｂ）の矢印で示されるように、ＯＦＦ区間を増減させることで明るさを変換することができる。
【００７１】
図１１（ｃ）に示されるように、ＯＦＦ区間数を増加し、１２８波形すべてがＯＦＦ区間となる場合には、照度は０となることが明らかである。
【００７２】
また、色温度変化は、ＰＷＭ制御により、デューティ比を変えることによって実現することができることも明らかである。
【００７３】
本発明の第１の実施の形態に係る照明装置において、第１発光ダイオードＬＥＤ１および第２発光ダイオードＬＥＤ２は、互いに隣接して配置したことを特徴とする。
【００７４】
また、本発明の第１の実施の形態に係る照明装置において、第１発光ダイオードＬＥＤ１および第２発光ダイオードＬＥＤ２は、互いに隣接して配置し、かつ複数組配列して実装してもよい。
【００７５】
図１２は、本発明の第１の実施の形態に係る照明装置において、色温度の異なる第１ＬＥＤ列４０と第２ＬＥＤ列５０を隣接させて実装する場合のＬＥＤ駆動回路系の模式的回路ブロック構成を示す。図１２に示されるＬＥＤ駆動回路系は、電源ラインＶＤＣＬに接続される三端子レギュレータ２４と、三端子レギュレータ２４に接続され，輝度制御信号ＳＩおよび色度制御信号ＳＴを出力するマイクロコンピュータ２６と、バイポーラトランジスタＱＡ，ＱＢからなり、コントロールラインＣＴＬ１にスイッチング制御信号Ｓ１を供給するＬＥＤ駆動回路３０と、コントロールラインＣＴＬ１に接続され、第１ＬＥＤ列４０を駆動するＬＥＤ列駆動用のバイポーラトランジスタ３２と、バイポーラトランジスタＱＡ，ＱＢからなり、コントロールラインＣＴＬ２にスイッチング制御信号Ｓ２を供給するＬＥＤ駆動回路３０と、コントロールラインＣＴＬ２に接続され、第２ＬＥＤ列５０を駆動するＬＥＤ列駆動用のバイポーラトランジスタ３２とを備える。
【００７６】
マイクロコンピュータ２６には、水晶振動子２８からクロック信号が供給され、また、輝度調整用可変抵抗（ＲＩ）１２を介して輝度制御信号ＳＩ、色温度調整用可変抵抗（ＲＴ）１３を介して色度制御信号ＳＴがそれぞれ供給される。
【００７７】
図１２に示されるマイクロコンピュータ２６が、図１，図７に示される制御回路６と同等の働きをする。
【００７８】
また、図１３は、本発明の第１の実施の形態に係る照明装置において、色温度の異なるＬＥＤ列を２個隣接させ、かつｎ組配列して実装する場合の模式的回路ブロック構成を示す。
【００７９】
図１３には、電源ラインＶＤＣＬとコントロールラインＣＴＬ１間に配置される第１ＬＥＤ列４０−１，４０−２，…，４０−ｎと、電源ラインＶＤＣＬとコントロールラインＣＴＬ２間に配置される第２ＬＥＤ列５０−１，５０−２，…，５０−ｎと、接地ラインＧＮＤＬが示されている。
【００８０】
本発明の第１の実施の形態に係る照明装置において、図１２に示されるＬＥＤ駆動回路系の模式的回路ブロック構成を適用することによって、図１３に示すように、色温度の異なるＬＥＤ列を２個隣接させ、かつｎ組配列した場合の回路構成も同様に、拡張して実現することができる。
【００８１】
図１４（ａ）は、本発明の第１の実施の形態に係る照明装置において、色温度の異なるＬＥＤ列を２個隣接配置し、かつｎ組配列して実装する場合の模式的配置図であって、ライン状の照明装置の構成図、図１４（ｂ）円形状の照明装置の構成図を示す。
【００８２】
本発明の第１の実施の形態に係る照明装置においては、図１４（ａ）に示すように、第１発光ダイオードＬＥＤ１および第２発光ダイオードＬＥＤ２は、互いに隣接して配置し、かつ複数組ライン状に配列して実装することを特徴とする。
【００８３】
また、本発明の第１の実施の形態に係る照明装置においては、図１４（ｂ）に示すように、第１発光ダイオードおよび第２発光ダイオードは、互いに隣接して配置し、かつ複数組円形状に配列して実装することを特徴とする。
【００８４】
色温度の異なるＬＥＤを隣接させて実装することで、それぞれのＬＥＤから放たれる光を混ざりやすくし、照射面での色のバラツキ、ムラを無くすことができる。
【００８５】
特に、図１４（ａ）において、Ａの距離をすべて一定にすることで、照射面における明るさのムラを無くすことができる。２個のＬＥＤ１、ＬＥＤ２に対し、１個のリフレクタを配置することにより、さらに任意の場所に対して効率的に光を集光させて、照度を上げることも可能である。
【００８６】
本発明の第１の実施の形態に係る照明装置においては、ＬＥＤ駆動回路系を、制御回路部とＬＥＤモジュール部の２つに分け、制御回路部は可変抵抗で任意に発生するＤＣ電圧を読みとり、それに応じたＰＷＭ信号を出力し、出力されたＰＷＭ信号はＬＥＤモジュール部のＬＥＤ駆動用バイポーラトランジスタＱ１，Ｑ２（ＱＤ）をそれぞれオン、オフし、ＬＥＤの点消灯を行うことができ、制御回路１つで、多数のＬＥＤモジュールの制御を可能にしており、使用するセットの大きさに応じて、ＬＥＤモジュール部の増減が可能である。
【００８７】
また、本発明の第１の実施の形態に係る照明装置においては、点灯期間Ｔ１，Ｔ２のオン波形をパルス数変調制御により、抜くことで、０〜１００％の明るさ可変を可能にしている。
【００８８】
また、本発明の第１の実施の形態に係る照明装置においては、明るさを０〜１００％とすることが可能となるため、照明器具の応用範囲が広くなる。
【００８９】
色温度可変は、色温度の異なるＬＥＤ１とＬＥＤ２を相補的に（両者のオンデューティが合計１００％となるように）点消灯させるように、点灯期間Ｔｏｎを設定する。
【００９０】
また、この点灯期間Ｔｏｎのくり返し１２８波形を１周期ＴＮとし、０〜１２８波形を、パルス数変調制御により、ＯＦＦにすることにより明るさを可変にすることができる。
【００９１】
例えば、何も波形を抜かなければ、明るさは１００％であるが、６４波形抜いて、そこをＯＦＦにさせておけば、明るさは半分の５０％となる。１２８波形分すべてをＯＦＦ区間にすれば、明るさは０％となる。これにより、明るさを１２８段階で変え、かつ明るさを０〜１００％まで可変させることが可能になる。  
制御回路６による照明光の色度調整動作（色温度調整動作）について、図１５を参照しながら詳細に説明する。図１５は、本発明の第１の実施の形態に係る照明装置において、照明光の色度調整動作を説明するための図であって、図１５（ａ）は、点灯期間Ｔｏｎ（＝Ｔ１＋Ｔ２）に対して、Ｔ１＜Ｔ２の例、図１５（ｂ）は、Ｔ１＝Ｔ２の例、図１５（ｃ）は、Ｔ１＞Ｔ２の例をそれぞれ示している。
【００９２】
本発明の第１の実施の形態に係る照明装置においては、図１５に示すように、制御回路６は、色度制御信号ＳＴに応じて、点灯期間Ｔｏｎ内における第１発光部９の点灯期間Ｔ１と第２発光部１０の点灯期間Ｔ２との比率を可変制御すると共に、一定周期ＴＮ内のＰＮＭ制御により、第１発光部９および第２発光部１０の点灯制御を行うことを特徴とする。
【００９３】
図１５は、照明光の色度調整動作を説明するための図である。なお、図１５（ａ）乃至（ｃ）の符号Ｓ１、Ｓ２は、スイッチング制御信号Ｓ１、Ｓ２の論理状態、すなわち、ＬＥＤ１、ＬＥＤ２の点消灯状態を各々示している。
【００９４】
図１５（ａ）乃至（ｃ）に示すように、制御回路６は、第１発光部９を構成するＬＥＤ１と第２発光部１０を構成するＬＥＤ２を相補的に、すなわち、両者のオンデューティが合計で１００％となるように、点消灯させる点灯期間Ｔｏｎと、ＬＥＤ１とＬＥＤ２の両方を消灯させる消灯期間Ｔｏｆｆと、ＬＥＤ１およびＬＥＤ２の周期的な点消灯制御を行う構成とされている。
【００９５】
さらにまた、点灯期間Ｔｏｎ内におけるＬＥＤ１の点灯期間Ｔ１、およびＬＥＤ２の点灯期間Ｔ２のＯＮ波形は、更にパルス数変調制御によって、一定期間内のパルス数が減少化され、オフ期間を完全に０にすることができ、輝度を０に調整可能である。
【００９６】
また、制御回路６は、入力される色度制御信号ＳＴに応じて、点灯期間Ｔｏｎ内における第１発光部ＬＥＤ１の点灯期間Ｔ１と第２発光部ＬＥＤ２の点灯期間Ｔ２との比率を可変制御する構成とされている。より具体的に述べると、照明光の色温度を下げる場合には、点灯期間Ｔｏｎに対して第２発光部ＬＥＤ２の点灯期間Ｔ２が占める比率（第２発光部ＬＥＤ２のオンデューティ）を順次上げていけばよく（図１５（ｃ）→図１５（ｂ）→図１５（ａ））、逆に、照明光の色温度を上げる場合には、第２発光部ＬＥＤ２のオンデューティを順次下げていけばよい（図１５（ａ）→図１５（ｂ）→図１５（ｃ））。
【００９７】
図１６は、本発明の第１の実施の形態に係る照明装置において、点灯期間Ｔｏｎ（＝Ｔ１＋Ｔ２）に対してＬＥＤ２の点灯期間Ｔ２が占める比率に応じた色温度変化を説明するための図である。一方、図１７は、点灯期間Ｔｏｎ（＝Ｔ１＋Ｔ２）に対してＬＥＤ２の点灯期間Ｔ２が占める比率に応じた色度変化を説明するための色度図である。図１７中の実線は、黒体放射曲線を示している。
【００９８】
図１６に示すように、本発明の第１の実施の形態にかかる照明装置によれば、第１発光部ＬＥＤ１の色温度（例えば、５０００Ｋ）から第２発光部ＬＥＤ２の色温度（例えば、２６００Ｋ）まで連続的に照明光の色温度を調整することが可能となる。
【００９９】
また、照明光の色度については、図１７に示すように、色度座標上で０．０６〜０．１４程度の広い調整範囲を得ることが可能となる。すなわち、ＬＥＤ２のオンデューティ１００％と０％の座標において、Ｘの値の範囲ΔＸで約０.１４程度、Ｙの値の範囲ΔＹで約０.０６程度の広い調整範囲を得ることが可能となる。
【０１００】
従って、本発明の第１の実施の形態に係る照明装置のよれば、１つのモジュールで様々な色調の白色照明を行うことが可能となり、照度の調整範囲も０〜１００％と広範囲である。
【０１０１】
また、本発明の第１の実施の形態に係る照明装置のよれば、第１発光ダイオードＬＥＤ１と第２発光ダイオードＬＥＤ２のオンデューティが合計で１００（％）となるように、両者の点消灯制御が行われるので、点灯期間Ｔｏｎ内における第１発光部ＬＥＤ１の点灯期間Ｔ１と第２発光部ＬＥＤ２の点灯期間Ｔ２との比率を可変制御しても、点灯期間Ｔｏｎ全体として見れば、常時点灯されている形となるので、照明光の明るさを一定に保つことが可能となる。
【０１０２】
本発明に係る照明装置によれば、簡易な構成で、照明光の色度と輝度を、０〜１００％の広範囲に調整することができる。
【０１０３】
[第２の実施の形態] 
本発明の第２の実施の形態に係る照明装置は、第１の実施の形態に係る照明装置とは、色度調整動作および輝度調整動作のタイミングチャートが異なるのみであり、基本的な回路構成は、図１と同様であり、また具体的な回路構成も図７乃至図１０と同様である。更に、ＰＮＭ制御についても、第１の実施の形態に係る照明装置と同様に適用される。
【０１０４】
また、図１２乃至図１４に示すように、色温度の異なるＬＥＤ列を２個隣接させて実装する場合のＬＥＤ駆動回路系の回路ブロック構成、色温度の異なるＬＥＤ列を２個隣接させ、かつｎ組配列して実装する場合の回路ブロック構成などについても、本発明の第１の実施の形態に係る照明装置と同様である。
【０１０５】
このため、第１の実施の形態に係る照明装置と重複する説明は省略する。
【０１０６】
本発明の第２の実施の形態に係る照明装置も、図１に示す第１の実施の形態と同様に、互いに色温度の異なる第１発光部９および第２発光部１０と、第１発光部９および第２発光部１０の点消灯制御を行う制御回路６とを備える。
【０１０７】
制御回路６は、第１発光部９と第２発光部１０を相補的に点消灯させる点灯期間Ｔｏｎと、第１発光部９と第２発光部１０の両方を消灯させる消灯期間Ｔｏｆｆとを有するように、第１発光部９および第２発光部１０の周期的な点消灯制御を行うと共に、一定周期ＴＮ内のパルス数変調制御により、第１発光部９および第２発光部１０の点灯制御を行うことを特徴とする。
【０１０８】
また、本発明の第２の実施の形態に係る照明装置において、制御回路６は、点灯期間Ｔｏｎの長さを一定に維持する一方、輝度制御信号ＳＩに応じて、消灯期間Ｔｏｆｆの長さを可変制御すると共に、一定周期ＴＮ内のパルス数変調制御により、第１発光部９および第２発光部１０の点灯制御を行うことを特徴とする。
【０１０９】
更に具体的に、本発明の第２の実施の形態に係る照明装置は、図７（ａ）に示す第１の実施の形態と同様に、互いに色温度の異なる第１発光部９および第２発光部１０と、第１発光部９および第２発光部１０の点消灯制御を行う制御回路６とを備える。
【０１１０】
制御回路６は、図７（ｂ）に示す第１の実施の形態と同様に、第１発光部９と第２発光部１０を相補的に点消灯させる点灯期間Ｔｏｎと、第１発光部９と第２発光部１０の両方を消灯させる消灯期間Ｔｏｆｆとを有するように、第１発光部９および第２発光部１０の周期的な点消灯制御を行う点消灯制御部３と、一定周期ＴＮ内のパルス数変調制御により、第１発光部９および第２発光部１０の点灯制御を行うパルス数変調制御部７を備えることを特徴とする。
【０１１１】
また、本発明の第２の実施の形態に係る照明装置において、図１８に示すように、点消灯制御部３は、更に、前記点灯期間Ｔｏｎの長さを一定に維持する一方、輝度制御信号ＳＩに応じて、消灯期間Ｔｏｆｆの長さを可変制御すると共に、パルス数変調制御部７も、更に、輝度制御信号ＳＩに応じて、一定周期ＴＮ内のパルス数変調制御により、第１発光部９および第２発光部１０の点灯制御を行うことを特徴とする。
【０１１２】
更に具体的に、本発明の第２の実施の形態に係る照明装置は、図７（ａ）に示す第１の実施の形態と同様に、互いに色温度の異なる第１発光ダイオードＬＥＤ１および第２発光ダイオードＬＥＤ２と、第１発光ダイオードＬＥＤ１および第２発光ダイオードＬＥＤ２の点消灯制御を行う制御回路６とを備える。
【０１１３】
制御回路６は、図７（ｂ）に示す第１の実施の形態と同様に、第１発光ダイオードＬＥＤ１と第２発光ダイオードＬＥＤ２を相補的に点消灯させる点灯期間Ｔｏｎと、第１発光ダイオードＬＥＤ１と第２発光ダイオードＬＥＤ２の両方を消灯させる消灯期間Ｔｏｆｆとを有するように、第１発光ダイオードＬＥＤ１および第２発光ダイオードＬＥＤ２の周期的な点消灯制御を行う点消灯制御部３と、一定周期ＴＮ内のパルス数変調制御により、第１発光ダイオードＬＥＤ１および第２発光ダイオードＬＥＤ２の点灯制御を行うパルス数変調制御部７とを備えることを特徴とする。
【０１１４】
また、本発明の第２の実施の形態に係る照明装置において、図１８に示すように、点消灯制御部３は、更に、点灯期間Ｔｏｎの長さを一定に維持する一方、輝度制御信号ＳＩに応じて、消灯期間Ｔｏｆｆの長さを可変制御すると共に、パルス数変調制御部７も、更に、輝度制御信号ＳＩに応じて、一定周期ＴＮ内のパルス数変調制御により、第１発光ダイオードＬＥＤ１および第２発光ダイオードＬＥＤ２の点灯制御を行うことを特徴とする。
【０１１５】
図１８は、本発明の第２の実施の形態に係る照明装置において、照明光の輝度調整動作の一例を説明するための図である。図１８（ａ）乃至（ｃ）の符号Ｓ１，Ｓ２は、スイッチング制御信号Ｓ１，Ｓ２の論理状態、すなわち、ＬＥＤ１，ＬＥＤ２の点消灯状態を各々示している。
【０１１６】
図１９は、本発明の第２の実施の形態に係る照明装置において、消灯期間Ｔｏｆｆの長さに応じた輝度変化を説明するための図である。
【０１１７】
図１９に示すように、消灯期間Ｔｏｆｆが長いほど、照明光の輝度は低くなり、逆に、消灯期間Ｔｏｆｆが短いほど、照明光の輝度は高くなる。点灯期間Ｔｏｎの長さを一定に維持する一方、輝度制御信号ＳＩに応じて、消灯期間Ｔｏｆｆの長さを可変制御し、照明光の輝度を下げる場合には、消灯期間Ｔｏｆｆを順次長く設定（図１８（ａ）→図１８（ｂ）→図１８（ｃ））する。
【０１１８】
照明光の輝度を上げる場合には、消灯期間Ｔｏｆｆを順次短く設定（図１８（ｃ）→図１８（ｂ）→図１８（ａ））する。
【０１１９】
本発明の第２の実施の形態に係る照明装置においては、第１の実施の形態に係る照明装置と同様に、点灯期間Ｔｏｎ内におけるＬＥＤ１の点灯期間Ｔ１、およびＬＥＤ２の点灯期間Ｔ２のＯＮ波形は、パルス数変調制御によって、一定周期ＴＮ内のパルス数が減少化され、オフ期間を完全に０にすることができ、輝度を０に調整可能である。
【０１２０】
図１９において、点線の範囲は、消灯期間Ｔｏｆｆを長く設定するＰＷＭ制御によるデューティ比を可変にした例であるが、完全には輝度を０％にすることはできない。これに対して、点灯期間Ｔｏｎ内におけるＬＥＤ１の点灯期間Ｔ１、およびＬＥＤ２の点灯期間Ｔ２のＯＮ波形に対してパルス数変調制御を適用することによって、一定周期ＴＮ内のパルス数が減少化され、オフ期間を完全に０にすることができ、輝度を０に調整可能である。
【０１２１】
本発明に係る照明装置によれば、簡易な構成で、照明光の色度と輝度を、０〜１００％の広範囲に調整することができる。
【０１２２】
[第３の実施の形態] 
本発明の第３の実施の形態に係る照明装置は、第１の実施の形態に係る照明装置とは、色度調整動作および輝度調整動作のタイミングチャートが異なるのみであり、基本的な回路構成は、図１と同様であり、また具体的な回路構成も図７乃至図１０と同様である。更に、ＰＮＭ制御についても、第１の実施の形態に係る照明装置と同様に適用される。
【０１２３】
また、図１２乃至図１４に示すように、色温度の異なるＬＥＤ列を２個隣接させて実装する場合のＬＥＤ駆動回路系の回路ブロック構成、色温度の異なるＬＥＤ列を２個隣接させ、かつｎ組配列して実装する場合の回路ブロック構成などについても、本発明の第１の実施の形態に係る照明装置と同様である。このため、第１の実施の形態に係る照明装置と重複する説明は省略する。
【０１２４】
本発明の第３の実施の形態に係る照明装置は、図１に示す第１の実施の形態と同様に、互いに色温度の異なる第１発光部９および第２発光部１０と、第１発光部９および第２発光部１０の点消灯制御を行う制御回路６とを備える。
【０１２５】
制御回路６は、第１発光部９と第２発光部１０を相補的に点消灯させる点灯期間Ｔｏｎと、第１発光部９と第２発光部１０の両方を消灯させる消灯期間Ｔｏｆｆとを有するように、第１発光部９および第２発光部１０の周期的な点消灯制御を行うと共に、一定周期ＴＮ内のパルス数変調制御により、第１発光部９および第２発光部１０の点灯制御を行うことを特徴とする。
【０１２６】
更に具体的に、本発明の第３の実施の形態に係る照明装置は、図７（ａ）に示す第１の実施の形態と同様に、互いに色温度の異なる第１発光部９および第２発光部１０と、第１発光部９および第２発光部１０の点消灯制御を行う制御回路６とを備える。
【０１２７】
制御回路６は、図７（ｂ）に示す第１の実施の形態と同様に、第１発光部９と第２発光部１０を相補的に点消灯させる点灯期間Ｔｏｎと、第１発光部９と第２発光部１０の両方を消灯させる消灯期間Ｔｏｆｆとを有するように、第１発光部９および第２発光部１０の周期的な点消灯制御を行う点消灯制御部３と、一定周期ＴＮ内のパルス数変調制御により、第１発光部９および第２発光部１０の点灯制御を行うパルス数変調制御部７を備えることを特徴とする。
【０１２８】
また、本発明の第３の実施の形態に係る照明装置は、図２０に示すように、点消灯制御部３は、更に、輝度制御信号ＳＩに応じて、所定の点消灯周期Ｔ内における点灯期間Ｔｏｎと消灯期間Ｔｏｆｆとの比率を可変制御すると共に、パルス数変調制御部７も、更に、輝度制御信号ＳＩに応じて、一定周期ＴＮ内のパルス数変調制御により、第１発光部９および第２発光部１０の点灯制御を行うことを特徴とする。
【０１２９】
更に具体的に、本発明の第３の実施の形態に係る照明装置は、図７（ａ）に示す第１の実施の形態と同様に、互いに色温度の異なる第１発光ダイオードＬＥＤ１および第２発光ダイオードＬＥＤ２と、第１発光ダイオードＬＥＤ１および第２発光ダイオードＬＥＤ２の点消灯制御を行う制御回路６とを備える。
【０１３０】
制御回路６は、図７（ｂ）に示す第１の実施の形態と同様に、第１発光ダイオードＬＥＤ１と第２発光ダイオードＬＥＤ２を相補的に点消灯させる点灯期間Ｔｏｎと、第１発光ダイオードＬＥＤ１と第２発光ダイオードＬＥＤ２の両方を消灯させる消灯期間Ｔｏｆｆとを有するように、第１発光ダイオードＬＥＤ１および第２発光ダイオードＬＥＤ２の周期的な点消灯制御を行う点消灯制御部３と、一定周期ＴＮ内のパルス数変調制御により、第１発光ダイオードＬＥＤ１および第２発光ダイオードＬＥＤ２の点灯制御を行うパルス数変調制御部７とを備えることを特徴とする。
【０１３１】
また、本発明の第３の実施の形態に係る照明装置において、図２０に示すように、点消灯制御部３は、輝度制御信号ＳＩに応じて、所定の点消灯周期Ｔ内における点灯期間Ｔｏｎと消灯期間Ｔｏｆｆとの比率を可変制御すると共に、パルス数変調制御部７も、輝度制御信号ＳＩに応じて、一定周期ＴＮ内のパルス数変調制御により、第１発光ダイオードＬＥＤ１および第２発光ダイオードＬＥＤ２の点灯制御を行うことを特徴とする。
【０１３２】
図２０は、本発明の第３の実施の形態に係る照明装置において、照明光の輝度調整動作の例を説明するための図であって、輝度制御信号ＳＩに応じて、所定の点消灯周期Ｔ内における点灯期間Ｔｏｎと消灯期間Ｔｏｆｆとの比率を可変制御し、照明光の輝度を下げる場合には、点消灯周期Ｔに対して点灯期間Ｔｏｎが占める比率（第１発光部ＬＥＤ１および第２発光部ＬＥＤ２を合わせたトータルのオンデューティ）を順次下げて設定（図２０（ａ）→図２０（ｂ）→図２０（ｃ））し、逆に、照明光の輝度を上げる場合には、トータルのオンデューティを順次上げて設定（図２０（ｃ）→図２０（ｂ）→図２０（ａ））する。
【０１３３】
図２１は、本発明の第３の実施の形態に係る照明装置において、点消灯周期Ｔに対して点灯期間Ｔｏｎが占める比率に応じた輝度変化を説明するための図である。
【０１３４】
図２０（ａ）乃至（ｃ）の符号Ｓ１，Ｓ２は、スイッチング制御信号Ｓ１，Ｓ２の論理状態、すなわち、ＬＥＤ１，ＬＥＤ２の点消灯状態を各々示している。
【０１３５】
図２１は、点消灯周期Ｔ（Ｔｏｎ＋Ｔｏｆｆ）に対して点灯期間Ｔｏｎが占める比率に応じた輝度変化を説明するための図である。
【０１３６】
図２１に示すように、トータルのオンデューティが低いほど、照明光の輝度は低くなり、逆に、トータルのオンデューティが高いほど、照明光の輝度は高くなる。
【０１３７】
なお、上記の点消灯周期Ｔについては、肉眼でちらつきを感じない長さ（例えば、数１００ｍｓ程度）に設定すればよい。
【０１３８】
本発明の第３の実施の形態に係る照明装置においては、第１の実施の形態に係る照明装置と同様に、点灯期間Ｔｏｎ内におけるＬＥＤ１の点灯期間Ｔ１、およびＬＥＤ２の点灯期間Ｔ２のＯＮ波形は、パルス数変調制御によって、一定周期ＴＮ内のパルス数が減少化され、オフ期間を完全に０にすることができ、輝度を０に調整可能である。
【０１３９】
本発明の第３の実施の形態に係る照明装置においては、点灯期間Ｔｏｎ内における第１発光部ＬＥＤ１の点灯期間Ｔ１と第２発光部ＬＥＤ２の点灯期間Ｔ２との比率を適宜選択することにより、照明光の輝度には何ら影響を及ぼすことなく、照明光の色度を任意に調整することが可能となり、また、消灯期間Ｔｏｆｆの長さ、または、点消灯周期Ｔ内における点灯期間Ｔｏｎと消灯期間Ｔｏｆｆとの比率を適宜選択することにより、照明光の色度には何ら影響を及ぼすことなく、照明光の輝度を任意に調整することが可能となる。
【０１４０】
また、本発明の第３の実施の形態に係る照明装置においては、照明光の色度制御および輝度制御は、第１発光部ＬＥＤ１および第２発光部ＬＥＤ２の駆動電流制御を伴わないので、制御回路６における制御を容易に実現することが可能となる。
【０１４１】
本発明に係る照明装置によれば、簡易な構成で、照明光の色度と輝度を、０〜１００％の広範囲に調整することができる。
【０１４２】
[その他の実施の形態]
上記のように、本発明は第１乃至第３の実施の形態によって記載したが、この開示の一部をなす論述および図面はこの発明を限定するものであると理解すべきではない。この開示から当業者には様々な代替実施の形態、実施例および運用技術が明らかとなろう。
【０１４３】
例えば、図１のバイポーラトランジスタＱ１、Ｑ２に代えて、ＭＯＳ（Metal Oxide Semiconductor）型、ＭＩＳ(Metal Insulator Semiconductor)型などの電界効果トランジスタ（ＦＥＴ：Field Effect Transistor）用いてもよい。また、図１の抵抗Ｒ１，Ｒ２に代えて、定電流源を用いてもよい。
【０１４４】
このように、本発明はここでは記載していない様々な実施の形態などを含むことは勿論である。したがって、本発明の技術的範囲は上記の説明から妥当な特許請求の範囲に係る発明特定事項によってのみ定められるものである。
【産業上の利用可能性】
【０１４５】
本発明の実施の形態に係る照明装置は、液晶ディスプレイのバックライトをはじめとして、ＬＥＤ無影灯、リビング室内灯、化粧灯、ショーウィンドウの照明灯、広告の照明灯、美術館における照明灯、さらに医療用として、外科手術時の照明灯など、種々の用途で用いられる照明装置全般に好適な技術である。
【図面の簡単な説明】
【０１４６】
【図１】本発明の第１の実施の形態に係る照明装置の模式的基本回路ブロック構成図。
【図２】本発明の第１の実施の形態に係る照明装置に適用する発光ダイオード（ＬＥＤ１、ＬＥＤ２）の模式的縦断面構造図。
【図３】国際照明委員会(ＣＩＥ)１９３１によるＸＹＺ表色系のＸＹ色度図。
【図４】ＸＹ色度図上において、ＬＥＤの選定方法を説明する模式図。
【図５】白色ＬＥＤにおいて、相対光度と順方向電流ＩF（ｍＡ）の関係の特性の一例を示す図。
【図６】白色ＬＥＤにおいて、色度図と順方向電流ＩF（ｍＡ）の関係の特性の一例を示す図。
【図７】本発明の第１の実施の形態に係る照明装置において、（ａ）ＬＥＤモジュールに対する制御系の模式的回路ブロック構成図、（ｂ）制御回路の模式的ブロック構成図。
【図８】本発明の第１の実施の形態の変形例に係る照明装置において、（ａ）リモート制御系の模式的ブロック構成図、（ｂ）輝度調整用ボリューム抵抗（ＲＶＩ）および色温度調整用ボリューム抵抗（ＲＶＴ）からなるボリューム抵抗による制御系の模式図。
【図９】本発明の第１の実施の形態に係る照明装置において、明るさ調整用および色温度調整用ボリューム抵抗制御系の模式図。
【図１０】本発明の第１の実施の形態に係る照明装置において、（ａ）ＰＮＭ出力信号ＰＳＴおよびＰＳＩを得るための模式的回路ブロック構成図、（ｂ）ＰＮＭ出力信号ＰＳＴの模式的波形図、（ｃ）ＰＮＭ出力信号ＰＳＩの模式的波形図。
【図１１】本発明の第１の実施の形態に係る照明装置において、ＰＮＭ出力信号の説明図であって、（ａ）１００％の明るさを得る場合のＰＮＭ波形図、（ｂ）複数個のパルス数を減少させた場合のＰＮＭ波形図、（ｃ）照度とＰＮＭのＯＦＦ区間数との関係を示す模式図。
【図１２】本発明の第１の実施の形態に係る照明装置において、色温度の異なるＬＥＤ列を２個隣接させて実装する場合のＬＥＤ駆動回路系の模式的回路ブロック構成図。
【図１３】本発明の第１の実施の形態に係る照明装置において、色温度の異なるＬＥＤ列を２個隣接させ、かつｎ組配列して実装する場合の模式的回路ブロック構成図。
【図１４】本発明の第１の実施の形態に係る照明装置において、色温度の異なるＬＥＤ列を２個隣接配置し、かつｎ組配列して実装する場合の模式的配置図であって、（ａ）ライン状の照明装置の構成図、（ｂ）円形状の照明装置の構成図。
【図１５】本発明の第１の実施の形態に係る照明装置において、照明光の色度調整動作を説明するための図であって、（ａ）点灯期間Ｔｏｎ（＝Ｔ１＋Ｔ２）に対して、Ｔ１＜Ｔ２の例、（ｂ）Ｔ１＝Ｔ２の例、（ｃ）Ｔ１＞Ｔ２の例。
【図１６】本発明の第１の実施の形態に係る照明装置において、点灯期間Ｔｏｎ（＝Ｔ１＋Ｔ２）に対してＬＥＤ２の点灯期間Ｔ２が占める比率に応じた色温度変化を説明するための図。
【図１７】本発明の第１の実施の形態に係る照明装置において、点灯期間Ｔｏｎ（＝Ｔ１＋Ｔ２）に対してＬＥＤ２の点灯期間Ｔ２が占める比率に応じた色度変化を説明するための色度図。
【図１８】本発明の第２の実施の形態に係る照明装置において、照明光の輝度調整動作の一例を説明するための図であって、点灯期間Ｔｏｎの長さを一定に維持する一方、輝度制御信号に応じて、消灯期間Ｔｏｆｆの長さを可変制御し、照明光の輝度を下げる場合には、消灯期間Ｔｏｆｆを順次長く設定（図１８（ａ）→図１８（ｂ）→図１８（ｃ））し、照明光の輝度を上げる場合には、消灯期間Ｔｏｆｆを順次短く設定（図１８（ｃ）→図１８（ｂ）→図１８（ａ））する様子を説明する図。
【図１９】本発明の第２の実施の形態に係る照明装置において、消灯期間Ｔｏｆｆの長さに応じた輝度変化およびＰＮＭ制御の効果を説明するための図。
【図２０】本発明の第３の実施の形態に係る照明装置において、照明光の輝度調整動作の別の例を説明するための図であって、輝度制御信号に応じて、所定の点消灯周期Ｔ内における点灯期間Ｔｏｎと消灯期間Ｔｏｆｆとの比率を可変制御し、照明光の輝度を下げる場合には、点消灯周期Ｔに対して点灯期間Ｔｏｎが占める比率（第１発光部ＬＥＤ１および第２発光部ＬＥＤ２を合わせたトータルのオンデューティ）を順次下げて設定（図２０（ａ）→図２０（ｂ）→図２０（ｃ））し、逆に、照明光の輝度を上げる場合には、トータルのオンデューティを順次上げて設定（図２０（ｃ）→図２０（ｂ）→図２０８（ａ））する様子を説明する図。
【図２１】本発明の第３の実施の形態に係る照明装置において、点消灯周期Ｔに対して点灯期間Ｔｏｎが占める比率に応じた輝度変化を説明するための図。
【図２２】従来例に係る照明装置の模式的ブロック構成図。
【符号の説明】
【０１４７】
１…青色発光ダイオード
２…蛍光層
２ａ…赤色発光体
２ｂ…緑色発光体
２ｃ…樹脂
３…点消灯制御部
４…ＡＤコンバータ
５…カウンタ回路
６…制御回路
７…ＰＮＭ制御部
８…ＬＥＤ駆動用バイポーラトランジスタ（Ｑ１，Ｑ２）
９…第１発光ダイオード（第１発光部）
１０…第２発光ダイオード（第２発光部）
１１…ＬＥＤモジュール
１２…輝度調整用抵抗（ＲＩ）
１３…色温度調整用抵抗（ＲＴ）
１４…リモート制御部
１５…受信部
１６…リモート制御回路
１７…リモートスイッチ部
１８…輝度調整用リモートスイッチ
１９…色温度調整用リモートスイッチ
２０…輝度調整用ボリューム抵抗（ＲＶＩ）
２１…色温度調整用ボリューム抵抗（ＲＶＴ）
２２…ボリューム抵抗
２４…三端子レギュレータ
２６…マイクロコンピュータ
２８…水晶発信器
３０…ＬＥＤ駆動回路
３２…ＬＥＤ駆動用バイポーラトランジスタ（ＱＤ）
４０，４０−１，４０−２，…，４０―ｎ…第１ＬＥＤ列
５０，５０−１，５０−２，…，５０−ｎ…第２ＬＥＤ列
ＬＥＤ１…第１発光部（第１白色発光ダイオード）
ＬＥＤ２…第２発光部（第２白色発光ダイオード）
Ｒ１，Ｒ２…抵抗
Ｔ…点消灯期間（＝Ｔｏｎ＋Ｔｏｆｆ）
Ｔｏｎ…点灯期間（＝Ｔ１＋Ｔ２）
Ｔｏｆｆ…消灯期間
Ｔ１…点灯期間Ｔｏｎ内におけるＬＥＤ１の点灯期間（ＬＥＤ２の消灯期間）
Ｔ２…点灯期間Ｔｏｎ内におけるＬＥＤ２の点灯期間（ＬＥＤ１の消灯期間）
ＴＮ…ＰＮＭ制御における一定周期
【図１】
2008226473.tif 000003
【図２】
2008226473.tif 000004
【図３】
2008226473.tif 000005
【図４】
2008226473.tif 000006
【図５】
2008226473.tif 000007
【図６】
2008226473.tif 000008
【図７】
2008226473.tif 000009
【図８】
2008226473.tif 000010
【図９】
2008226473.tif 000011
【図１０】
2008226473.tif 000012
【図１１】
2008226473.tif 000013
【図１２】
2008226473.tif 000014
【図１３】
2008226473.tif 000015
【図１４】
2008226473.tif 000016
【図１５】
2008226473.tif 000017
【図１６】
2008226473.tif 000018
【図１７】
2008226473.tif 000019
【図１８】
2008226473.tif 000020
【図１９】
2008226473.tif 000021
【図２０】
2008226473.tif 000022
【図２１】
2008226473.tif 000023
【図２２】
2008226473.tif 000024